(57)【要約】【課題】コイン貯留部の内部を十分な光を持って照明し、コインの取り忘れを防止し、かつ、遊技の進行に係る不正行為を誘発することがない照明装置を備えた遊技機を提供すること。【解決手段】コイン貯留部４１の壁部４６に、複数の発光体５０ｂを備えた基板５０が、設置されていることにより、コイン貯留部４１の内部４１ｂと発光体５０ｂが近いことから、コイン貯留部４１の内部４１ｂを十分な明るさを持って照明することができる。従って、遊技者は、コイン貯留部４１の内部４１ｂのコインを容易に認識することができ、取り忘れを防止することができる。また、前面扉３に表示パネル３８ａ照明を届かせるための比較的大きな開口部を設ける必要がないので、不正を目的とする工具などを前面扉３側から侵入させることができない。【選択図】図５
2007151741.tif 000002
【特許請求の範囲】
【請求項１】
前面扉から突出する底部と壁部とを有し、コイン払出口から払い出されるコインを受けるコイン貯留部を備えた遊技機において、
前記コイン貯留部の壁部には、複数の発光体を発光体設置面に備えた基板が該発光体設置面を前記コイン貯留部の内部方向に向けて設置され、
前記コイン貯留部には、前記基板の設置された前記壁部を少なくとも含む領域をカバーするカバー部材が設けられ、
該カバー部材は、少なくとも前記基板をカバーする部分を光透過性を有する部材で形成したことを特徴とする遊技機。
【請求項２】
前記コイン貯留部の壁部は、前記前面扉から突出した一対の側壁と、これら側壁の突出端部をつなぐ正面壁と、を有しており、
前記基板の設置は、前記一対の側壁の一方又は、双方にて行われることを特徴とする請求項１に記載の遊技機。
【請求項３】
前記コイン貯留部の一方又は双方の側壁には、下部位置に、該側壁の内側面に沿って前記前面扉側から外方に向って延在する基板取付部が設けられ、
該基板取付部には、前記側壁と略平行に伸張する溝部が設けられており、
前記基板の設置は、前記基板の一方の側端部を前記溝部へ嵌合固定させて行われることを特徴とする請求項２に記載の遊技機。
【請求項４】
前記コイン貯留部の一方又は双方の側壁には、
該側壁の内側面の上部位置で前記溝部と対向配置され、前記基板の前記一方の側端部に対向する側端部を支持する基板上部支持部が設けられていることを特徴とする請求項３に記載の遊技機。
【請求項５】
前記基板は前記コイン貯留部の一方の側壁のみに設けられ、
他方の側壁には光反射性を有する光反射部材が前記基板からの光が前記コイン貯留部内に反射されるように設けられたことを特徴とする請求項２〜４の何れか１項に記載の遊技機。
【発明の詳細な説明】
【技術分野】
【０００１】
本発明は、スロットマシンに代表される遊技機に関する。
【背景技術】
【０００２】
スロットマシン等に代表される遊技機は、遊技媒体であるコイン（メダル）を使用して遊技を楽しむように構成されており、通常１回の遊技で予め設定された入賞役に入賞すると所定枚数のコインが払い出されるように設定されている。そして、従来の遊技機では、遊技機の前面扉の下部に設けられたコイン払出口から払い出されたコインをコイン貯留部内に収容するようにしている。
【０００３】
図９は、従来の遊技機に設けられているコイン貯留部の構成を説明する図である。コイン貯留部１０１は、前面扉１１１の下部に設けられたコイン払出口１１３から払い出されるコインＭを収容するものであり、前面扉１１１の左右の幅方向に延在するように取り付け固定されている。コイン貯留部１０１は、平坦な底板部１０３と、底板部１０３の縁部に立設されたコイン流出防止壁部１０５とを有しており、それぞれがリブで補強された２重壁構造で構成されている。なお、前面扉１１１の外面側には、遊技機の機種名等をデザインした表示パネル１１５が設けられ、表示パネル１１５はその内部に設置された蛍光灯等の照明装置１１７によって裏面側から照明されている。
【０００４】
上記構成を有するコイン貯留部１０１の場合、入賞役に入賞することによって前面扉１１１のコイン払出口１１３から払い出されたコインＭは、コイン貯留部１０１の底板部１０３上に収容されていた。また、払い出されたコインＭは、コイン貯留部１０１のコイン流出防止壁部１０５に接触して跳ね返ることによって外方へ漏れ出ることのないようにされていた。そして、遊技者はコイン貯留部１０１の内部のコインＭを掴み取って、遊技機の前面扉１１１に設けられたコイン投入口（図示せず）にコインを投入することにより遊技を開始するようにしていた。そして、遊技を終了するときには、電子的に貯留されていた全てのコインをコイン払出口１１３から払い出し、コイン貯留部１０１に収容された全てのコインを回収するようにしていた。
【０００５】
ところが、遊技機の配置されているホール店内は、演出効果等の観点から室内照明を暗くした状態であることが多い。これにより、コイン貯留部１０１の内部のコインＭを回収する場合、コイン貯留部１０１の内部のコインＭを認識しづらいことから、コインＭの取り忘れがしばしば発生していた。
【０００６】
或いは、ホール店内の室内照明が明るい場合でも、前面扉１１１は、照明装置１１７を表示パネル１１５の裏側に配置する等することから手前側に向かって突設されており、ホール店内の室内照明がコイン貯留部１０１の内部にまで到達しにくい状況にあった。従って、ホール店内の室内照明が暗いときと同様にコイン貯留部１０１内部のコインＭを認識しづらいことから、コインＭの取り忘れがしばしば発生していた。また、照明装置１１７の光については表示パネル１１５の取付け部等の非透明部材の存在により、コイン貯留部１０１まで到達していなかった。
【０００７】
そこで、従来から、コイン貯留部１０１内のコインＭの取り忘れを防止する種々の遊技機が開発されており、例えば、特開平１０−１７４７３８号では、遊技機の前面扉から手前側の方向に突出するように配置された表示パネル保持枠において、表示パネル保持枠内に保持される表示パネルを裏面側より照射する照明装置の光が通過する開口部をコイン貯留部と対向する表示パネル保持枠の下面に開口形成し、開口部を通過する光によって内部が照明されるコイン貯留部を備えた遊技機について提案している（特許文献１参照）。
【０００８】
【特許文献１】特開平１０−１７４７３８号
【発明の開示】
【発明が解決しようとする課題】
【０００９】
しかしながら、特許文献１に開示されている遊技機の場合、照明装置は、表示パネルを裏面から照射して表示パネルのデザイン等を際立たせることが主目的であり、コイン貯留部の照明のために照明装置の光を十分に確保することができないという課題を有していた。
【００１０】
また、コイン貯留部の照明の観点から、表示パネル保持枠の開口部を比較的大きく開口形成すると、照明装置の光を十分に確保することできるが、開口部から棒体等の異物を挿入しやすくなり、スロットマシンの設定状態を変更するスイッチ類を操作する不正行為が容易に行われる等の課題が生じていた。
【００１１】
本発明はこのような事情に鑑みてなされたものであり、その目的は、コイン貯留部の内部を十分な光を持って照明し、コインの取り忘れを防止し、かつ、遊技の進行に係る不正行為を誘発することがない照明装置を備えた遊技機を提供することにある。
【課題を解決するための手段】
【００１２】
上記課題を解決する請求項１に記載した遊技機の発明は、前面扉から突出する底部と壁部とを有し、コイン払出口から払い出されるコインを受けるコイン貯留部を備えた遊技機において、前記コイン貯留部の壁部には、複数の発光体を発光体設置面に備えた基板が該発光体設置面を前記コイン貯留部の内部方向に向けて設置され、前記コイン貯留部には、前記基板の設置された前記壁部を含む領域をカバーするカバー部材が設けられ、該カバー部材は、少なくとも前記基板をカバーする部分を光透過性を有する部材で形成したことを特徴とする。
【００１３】
この構成によれば、コイン貯留部の壁部に、複数の発光体を備えた基板が、その発光体設置面をコイン貯留部の内部方向に向けて設置されていることにより、コイン貯留部の内部と発光体が近いことから、コイン貯留部の内部を十分な明るさを持って照明することができる。従って、遊技者は、コイン貯留部の内部のコインを容易に認識することができ、取り忘れを防止することができる。また、従来行われていたように、表示パネル用照明装置の光を届かせるための比較的大きな開口部を前面扉に設ける必要がないので、不正を目的とする工具などを前面扉から侵入させることができない。
【００１４】
そして、基板が設置された壁部を少なくとも含む領域をカバーするカバー部材は、少なくとも基板をカバーする部分を光透過性を有する部材で形成しているので、基板に設けられる発光体の光を遮ることなくその発光体を保護することができる。従って、基板用の保護カバーなどを別に設置する必要がなく、コインの衝突や遊技者の手からの基板の保護を容易に行うことができる。
【００１５】
請求項２に記載した遊技機は、請求項１に記載した遊技機において、前記コイン貯留部の壁部は、前記前面扉から突出した一対の側壁と、これら側壁の突出端部をつなぐ正面壁と、を有しており、前記基板の設置は、前記一対の側壁の一方又は、双方にて行われることを特徴とする。
【００１６】
基板の設置をコイン貯留部の側壁にて行うことにより、側壁部の基端が前面扉に固定されているため、配線などを容易に行うことができる。また、基板の設置を双方の側壁にて行った場合には、一方の側壁のみにて行われる場合よりもコイン貯留部の内部をより明るく照明することができるので、遊技者によるコインの取り忘れをより高い確率で防止することができる。
【００１７】
請求項３に記載した遊技機は、請求項２に記載した遊技機において、前記コイン貯留部の一方又は双方の側壁には、下部位置に、該側壁の内側面に沿って前記前面扉側から外方に向って延在する基板取付部が設けられ、該基板取付部には、前記側壁と略平行に伸張する溝部が設けられており、前記基板の設置は、前記基板の一方の側端部を前記溝部へ嵌合固定させて行われることを特徴とする。
【００１８】
これによれば、コイン貯留部の側壁にその側壁の内側面の下部位置に沿って前面扉側から外方に向って延在する基板取付部が設けられ、この基板取付部には、側壁と略平行に伸張する溝部が設けられており、基板の設置が、この溝部に嵌合固定するだけで行うことができるので、基板の設置が非常に容易であり、基板取付部の構造の複雑化を伴わない。また、基板は、側壁とほぼ平行な状態で溝部に一方の側端部を嵌合固定されている状態となるので、コイン貯留部の内部のスペースを減らすようなことがなく遊技の妨げになることがない。
【００１９】
請求項４に記載した遊技機は、請求項３に記載した遊技機において、前記コイン貯留部の一方又は双方の側壁には、該側壁の内側面の上部位置で前記溝部と対向配置され、前記基板の前記一方の側端部に対向する側端部を支持する基板上部支持部が設けられていることを特徴とする。
【００２０】
これによれば、コイン貯留部の一方又は双方の側壁には、その側壁の内側面の上部位置で基板取付部の溝部と対向配置された基板上部支持部が設けられており、基板は、基板取付部に嵌合固定されている一方の側端部とその側端部に対向するもう一方の側端部をこの基板上部支持部により支持された状態となっている。従って、基板は側壁の内側面の下部位置で基板取付部により固定され、側壁の内側面の上部位置で基板上部支持部により支持された状態となっているので、しっかりと側壁に固定された状態となる。
【００２１】
請求項５に記載に記載した遊技機は、請求項２〜４の何れか１項に記載の遊技機において、前記基板は前記コイン貯留部の一方の側壁のみに設けられ、他方の側壁には光反射性を有する光反射部材が前記基板からの光が前記コイン貯留部内に反射されるように設けられたことを特徴とする。
【００２２】
これにより、一方の側壁にのみ基板を設置している状態で双方に基板を設けた状態に近い明るさを確保することができる。また、光反射部材は、基板を別途設置するよりも容易に設置することができ、かつコストも抑えることができる。
【発明の効果】
【００２３】
本発明にかかる遊技機によれば、コイン貯留部の壁部に、複数の発光体を備えた基板が、その発光体設置面をコイン貯留部の内部方向に向けて設置されていることにより、コイン貯留部の内部と発光体が近いことから、コイン貯留部の内部を十分な明るさを持って照明することができる。従って、遊技者は、コイン貯留部の内部のコインを容易に認識することができ、取り忘れを防止することができる。また、従来行われていたように、表示パネル用照明装置の光を届かせるための比較的大きな開口部を前面扉に設ける必要がないので、不正を目的とする工具などの前面扉からの侵入を防止することができる。更に、壁部又は底部をカバーするカバー部材は、少なくとも基板をカバーする部分を光透過性を有する部材で形成しているので、基板に設けられる発光体の光を遮ることなくその発光体を保護することができる。従って、基板用の保護カバーなどを別に設置する必要がなく、コインの衝突や遊技者の手からの基板の保護を容易に行うことができる。
【発明を実施するための最良の形態】
【００２４】
以下、本発明の実施の形態について遊技機の一例としてスロットマシンの場合を例に、図面に基づいて詳細に説明する。図１は、スロットマシン１の前面扉３が閉じた状態を示した斜視図、図２は、スロットマシン１の前面扉３が開いた状態を示した斜視図、図３は、コイン貯留部であるコイン貯留部４１を前面扉３から取り外した状態の説明図である。スロットマシン１は、図１に示すように、筐体２と前面扉３とからなる正面視略矩形状の本体４を有している。
【００２５】
筐体２は、スロットマシン１の骨格をなす部材であり、図２に示すように、前面側を開放部とした箱形状を有している。筐体２の内部には、各種の図柄等が表示される複数個の回転ドラム１１と、スロットマシン１の遊技動作を制御するメイン主制御基板６０等を収納した制御基板収納ボックス１２と、電源スイッチ１３ａ、リセットスイッチ１３ｂ等を備える電源ボックス１３と、遊技媒体であるコインを貯留する補助タンク１４ａ、及び補助タンク１４ａ内のコイン排出用通路７からコイン払出口８に払い出す支払い装置１４ｂを備えたホッパ１４等が収容されている。
【００２６】
前面扉３は、図２に示すように、左側辺部の上下２箇所がヒンジ５によって筐体２に連結されて取り付けられており、筐体２の前面側の開放部を容易に閉塞及び開放できるように構成されている。
【００２７】
前面扉３は、図１に示すように、上方から下方に向かって順番に表示部３Ａ、操作部３Ｂ、貯留部３Ｃの３つの部分を備えている。表示部３Ａは、前面扉３の上辺に沿って設けられ遊技の進行に伴って点灯・点滅する上部ランプ２１と、上部ランプ２１の下方位置で左右両側に各々配置されて種々の効果音等を発生させる一対のスピーカ２２と、これら一対のスピーカ２２の間に配設されて画像・映像等の種々の情報を表示する液晶ディスプレイ２３を有している。また、表示部３Ａの略中央高さ位置には、筐体２内で回転する複数個の回転ドラム１１をそれぞれ視認するための透明窓２４が設けられており、透明窓２４の左側にはコインのベット数（賭け数）に応じて点灯するベットランプ２５が配設されている。そして、表示部３Ａの下部には、左側から右側に向かって順番にクレジット枚数表示部２６、ゲーム枚数表示部２７、払出枚数表示部２８が設けられている。
【００２８】
操作部３Ｂは、表示部３Ａの下端で折曲されて手前側に向かって延在する平面部分Ｆと、その平面部分Ｆの手前側の端部で折曲されて下方に向かって垂下する縦壁部分Ｈを有している。平面部分Ｆには、左側位置に１枚用と２枚用のベットボタン３１、３２が設けられ、その右側近傍位置にマックスベットボタン３３が設けられている。そして、平面部分Ｆの右側位置にはコイン投入口３６が配設されている。
【００２９】
縦壁部分Ｈの上部の略中央部分において左側から右側に向かって順番に、コインを貯留するか否かを選択するためのクレジット精算ボタン３４、回転ドラム１１の回転開始を指示するためのスタートレバー３５、回転ドラム１１の回転停止を指示するためのストップボタン３７が設けられている。
【００３０】
クレジット精算ボタン３４の操作によってコインを貯留するように選択した場合、一度の遊技に使用される３枚のコインに加えて、予め設定されている枚数まで投入可能に設定されている。一方、クレジット精算ボタン３４の操作によってコインを貯留しないように選択した場合、上記の３枚のコインのみ投入可能に設定され、４枚目以降のコインについては、排出用通路７からコイン払出口８に返却されるように構成されている。
【００３１】
スタートレバー３５は、縦壁部分Ｈから手前側に向かって突設されており、下方に押し下げる、或いは、上方に押し上げることによって操作される。ストップボタン３７は、各回転ドラム１１に対応する位置にそれぞれ配設されており、押し動作によって操作される。また、操作部３Ｂの下部には、機種名や遊技に関わるキャラクタ等が表示された表示パネル３８ａを保持する表示パネル保持枠３８が前面扉３から手前側に突設されている。そして、表示パネルの裏側面には、表示パネル３８ａの表示を際立たせる所定の図示しない照明装置が設けられている。
【００３２】
貯留部３Ｃは、操作部３Ｂの下方位置で前面扉３の左右方向に延在するように配置形成されており、コイン貯留部４１等が設けられている。図３に示されるように貯留部３Ｃは、前面扉３の左右辺部の近傍で上下方向に延在するように取り付け固定された補強部材６を有しており、貯留部３Ｃの略中央高さ位置に、コイン払出口８がコインの外径より広く開口形成されている。
【００３３】
左右の補強部材６は、金属部材によって形成されており、主として前面扉３の強度を確保するために設けられている。左右の補強部材６は、前面扉３の後面側において、ほぼ下端位置から上方に向かって延在し、前面扉３の表示部３Ａの所定位置まで到達するように延在している。なお、前面扉の左辺部近傍は図３には示さない。
【００３４】
次に、本実施の形態にかかる貯留部３Ｃのコイン貯留部４１の構成について図４〜７を参照しつつ説明する。図４は、コイン貯留部４１と光透過カバー４８との設置状態の説明図、図５は、コイン貯留部４１と光透過カバー４８との取付関係を示す斜視図、図６は、コイン貯留部４１の後面視の説明図、図７はコイン貯留部４１とコイン貯留部取付板４２との取り付け状態を示す説明図である。
【００３５】
図４、図５に示されるように、コイン貯留部４１は、コイン払出口８（図１参照）から払いだされたコインを受け取るための略矩形状のコイン貯留部底板部４９を有している。また、コイン貯留部４１の側壁で、外部にコインが流出することを防止するためのコイン流出防止壁部であるコイン貯留部右側壁４６、コイン貯留部左側壁４７が、前面扉３側を基端として外方に向かって延在した形で設けられる。これら側壁は、コイン貯留部底板部４９の縁部に立設されている。
【００３６】
更に、同じくコイン流出防止壁部を構成するコイン貯留部正面壁５１が、コイン貯留部右側壁４６とコイン貯留部左側壁４７の互いに対向する先端側端部を連結するように、コイン払出口８と対向配置されている。
【００３７】
本実施の形態では、左右一対の側壁であるコイン貯留部右側壁４６とコイン貯留部左側壁４７は、前面扉３側から手前側に向かって漸次低くなる形で構成されており、基部が図７に示されるコイン貯留部取付板４２を介して前面扉３に取り付け固定されるように構成されている。また、コイン貯留部左側壁４７の外側には、灰皿５５が設けられている（図１参照）。
【００３８】
そして、図６に示されるように、後述する光透過カバー４８の右側面部４８ｃとコイン貯留部右側壁部４６の外側の壁に囲まれたリブ設置用のスペースには、図上横方向に延在する横リブ４６ｂ及びその下方の横リブ４６ｄが設けられ、これら横リブ４６ｂ、４６ｄを連結するように上下方向に延在する縦リブ４６ｃが設けられている。なお、これらのリブは、大量のコインによる荷重に耐えるためのコイン貯留部４１の補強部材として、従来から使用されているものである。また、本実施の形態では、図３に示される補強材６のコイン貯留部取付孔６ａに対向するコイン貯留部取付穴４６ａが、横リブ４６ｂ、４６ｄと縦リブ４６ｃとの交点に形成されている。
【００３９】
次に、発光体を備えた基板であるＬＥＤ基板５０を取り付けるための構造について説明する。図４、図５に示したように、コイン貯留部右側壁４６の内側面の下部位置の横リブ４６ｄ上には、ＬＥＤ基板５０を取り付けるための基板取付部５２が、コイン貯留部右側壁４６の基端側からコイン貯留部正面壁５１まで延在しており、この基板取付部５２には、ＬＥＤ基板５０の一端を嵌入させることのできる幅を持った溝部５２ａがその長手方向（コイン貯留部右側壁４６と略平行な方向）の全体に亘って設けられている。
【００４０】
一方、図６に示したように、コイン貯留部右側壁４６上の内側面の上部位置の横リブ４６ｂには、ＬＥＤ基板５０を上方で支えるための基板上部支持部５３が設けられており、この基板上部支持部５３は、基板取付部５２と同様に溝部５３ａを有しており、基板取付部５２の溝部５２ａと基板上部支持部５３の溝部５３ａは、コイン貯留部右側壁４６の上下で対向した状態となっている。
【００４１】
ＬＥＤ基板５０は一方の側辺部が下方で溝部５２ａに嵌合され、上方で基板上部支持部５３の溝部５３ａにより嵌合されることで支持されているので、しっかり安定した状態で支持されている。
【００４２】
図４に示されるように、ＬＥＤ基板５０は、複数の発光体であるＬＥＤ５０ｂをＬＥＤ設置面５０ａに備えており、本実施の形態ではコイン貯留部右側壁４６の側面形状とほぼ同じ形状でそれより一回り小さく形成されている。このＬＥＤ基板５０は、ＬＥＤ設置面５０ａをコイン貯留部４１の内部方向に向けて設置される。すなわち、ＬＥＤ基板５０は、コイン貯留部右側壁４６とほぼ平行な状態でコイン貯留部４１の内部を照らすように設置された状態となる。
【００４３】
このＬＥＤ基板５０の設置状態により、発光体であるＬＥＤ５０ｂがコイン貯留部４１の内部を直近から照らす状態となるので、十分な光をもって照明することができる。従って、遊技の終了時にコイン貯留部４１の内部にコインが残っていた場合、遊技者はそれを容易に視覚認識することができるので、コインの取り忘れを防止することができる。また、ＬＥＤ基板５０の設置位置が前面扉３と近いことから、筐体２の内部から電源を供給するに当って、長い電線などを使用する必要がなく、後述する配線が容易である。また、上述のようにＬＥＤ基板５０の設置は、基板取付部５２の溝部５２ａと基板上部支持部５３の溝部５３ａに嵌入するだけで行われるので、ＬＥＤ基板５０の設置も非常に容易なものとなっている。
【００４４】
更に、従来のように照明装置となるＬＥＤ基板５０の設置を、前面扉３や筐体２側で行う必要がないので前面扉３や筐体２に照明装置取り付けのための開口部を設ける必要がなく、不正を目的として針金などを筐体２の内部に侵入させる所謂ゴト行為の防止も図られる。また、光透過カバー４８の右側面部４８ｃとコイン貯留部右側壁部４６の外側の壁に囲まれた既存のスペース（リブ設置用のスペース）を利用して光源を設置することができるので、光源を設置するためのスペースを新たに設ける必要がなく、基板設置箇所の大型化も伴わない。
【００４５】
次に、図５に基づいてコイン貯留部４１に設置される光透過カバー４８について説明する。光透過カバー４８は、コイン貯留部４１の内面を被覆し保護するためのものであり、アクリル樹脂やポリカーボネートなどの光透過性を有する透明樹脂で形成されている。この光透過カバー４８は、底面部４８ａ、正面部４８ｂ、右側面部４８ｃ、左側面部４８ｄにより一体的に構成されており、コイン貯留部４１の内面に嵌合可能な形状とされており、コイン貯留部４１の内面に嵌め込むことにより設置されている。すなわち、コイン貯留部４１のコイン貯留部底板部４９と、コイン貯留部正面壁５１、コイン貯留部右側壁４６、コイン貯留部左側壁４７の内側面全体が、それぞれに対応した光透過カバー４８の底面部４８ａ、正面部４８ｂ、右側面部４８ｃ、左側面部４８ｄにより覆われた状態となる。そして、ＬＥＤ基板５０が設置された状態のコイン貯留部右側壁４６も光透過カバー４８の右側面部４８ｃによりカバーされた状態となる。
【００４６】
これにより、光透過カバー４８の右側面部４８ｃは、ＬＥＤ基板５０に対してコインの衝突による衝撃や、遊技者の手などによってもたらされる損傷を防止する保護カバーの役割を果たすことができる。従って、別途ＬＥＤ基板５０用の保護カバーを用意する必要がなく、また、光透過カバー４８は光透過性を有する透明部材で形成されているので、右側面部４８ｃがＬＥＤ５０ｂの光を妨げることもない。更に、光透過カバー４８は、底面部４８ａ、正面部４８ｂ、右側面部４８ｃ、左側面部４８ｄが一体で形成されているので、隙間が生じず、ゴトや悪戯を目的とする針金などの不正工具の侵入を防止することができる。
【００４７】
次に、コイン貯留部４１とコイン貯留部取付板４２との設置状態について説明する。コイン貯留部取付板４２は、前面扉３とコイン貯留部４１の設置においての中間部材であり、図７に示されるように、コイン貯留部取付板４２の右端部には、上部と下部に設けられた突出部４３にねじ孔４３ａが穿設されており、上述のコイン貯留部右側壁４６のコイン貯留部取り付け穴４６ａと位置を合わされねじ止めにより接合される。また、コイン貯留部左側壁４７とコイン貯留部取付板４２との接合も、前述のコイン貯留部右側壁４６とコイン貯留部取付板４２との接合とほぼ同様の方法で行われる。これにより、ＬＥＤ基板５０が基板取付部５２の溝部５２ａに嵌合された状態でコイン受け皿取付板４２に当接され支えられた状態となるので、ＬＥＤ基板５０の脱落を防ぐことができる。
【００４８】
また、前述のＬＥＤ５０ｂの発光のための配線は、コイン貯留部右側壁４６のＬＥＤ基板５０の設置位置に対向する位置であるコイン貯留部取付板４２の間隙部４２ａ（二つのねじ孔４３ａの中間部）を通して、前面扉３側から図示しない電線等を用いて行われる。従って、コイン貯留部取付板４２とＬＥＤ基板５０が近いので電線等を長く引く必要がなく、配線が容易である。
【００４９】
また、上記実施の形態において、図示しないが、コイン貯留部左側壁４７にステンレス板などの光反射性を有する光反射部材を、ＬＥＤ基板５０からの光がコイン貯留部４１の内部に反射されるように設けることにより、コイン貯留部右側壁４６にのみＬＥＤ基板５０を設けた状態で双方の側壁にＬＥＤ基板を設けた状態に近い明るさを確保することができる。また、ステンレス板の装着の場合、コイン貯留部左側壁４７に貼り付けるだけで設置することができるので、ＬＥＤ基板のような配線等の煩雑な設置構造を必要とせず、設置が容易である。また、当然であるが、ＬＥＤ基板よりも低コストで設置することができる。
【００５０】
また、図示しないが、本実施の形態では、光透過カバー４８がコイン貯留部４１の内部の形状に合わせて一体化した透明部材として形成されているが、例えば、光透過カバー４８の底面部４８ａ、正面部４８ｂ、左側面部４８ｄにあたる部材を光透過性がないカバーを用い、ＬＥＤ基板５０を覆う部位である右側面部４８ｃにあたる部材だけを別体の取外し可能な光透過性を有する部材で形成しても良い。これにより、コインの衝突等により右側面部４８ｃが破損してしまった場合であっても、古い右側面部４８ｃを新しい右側面部４８ｃに取替えるだけで済むので、破損時の交換を低コスト且つ容易に行うことができる。
【００５１】
更に、コイン貯留部４１のコイン貯留部右側壁４６以外の壁部及び底部を従来と同様の外部壁と内部壁の２重壁構造に構成とし、ＬＥＤ基板５０が設けられるコイン貯留部右側壁４６の領域だけを外部壁にあたる一枚の壁で構成し、コイン貯留部右側壁４６の形状に合わせて別途用意した光透過カバーをその領域の内部壁として設置するように構成しても良い。
【００５２】
次に、制御基板収納ボックス１２（図２参照）内に配設されているスロットマシン１のメイン制御基板６０等について図８に基づいて説明する。図８は、スロットマシン１の電気的構成を説明するブロック図である。メイン制御基板６０は、ＬＥＤ５０ｂの発光制御を含むスロットマシン１各部の制御を行うものであり、演算装置である１チップマイコンとしてのＭＰＵ６１と、そのＭＰＵ６１に接続されると共にセンサ類やスイッチ類等の各種の入出力手段に接続された入出力ポート６２が搭載されている。
【００５３】
ＭＰＵ６１には、ＭＰＵ６１により実行されるコイン払出プログラム等の制御プログラムやコイン払い出し間隔等の固定値データを記憶したＲＯＭ６３と、そのＲＯＭ６３内に記憶される制御プログラムの実行にあたって各種のデータ等を一時的に記憶するためのメモリであるＲＡＭ６４等が内蔵されている。
【００５４】
入出力ポート６２には、クレジット精算ボタン３４、スタートレバー３５、ストップボタン３７、クレジット枚数表示部２６、ゲーム数表示部２７、払出枚数表示部２８、サブ制御基板７０等が接続されている。
【００５５】
サブ制御基板７０は、メイン制御基板６０から送信されるコマンドを受信して所定の制御処理を行うものであり、本実施の形態では、ＬＥＤ５０ｂの発光制御、コインを払い出すホッパ１４の駆動制御、クレジット枚数表示部の表示制御等を行わせるように構成されている。
【００５６】
電源基板８０は、電源ボックス１３内に設けられており、メイン制御基板６０の他に、ホッパ１４等のスロットマシン１の各電子機器に駆動電力を供給する電源部８１と、電源断の発生を監視する停電監視回路８２等の各種回路を備えている。スロットマシン１の電源オフ後には、電源基板８０の電源部８１からＲＡＭ６４にバックアップ電圧が供給される。
【００５７】
上記メイン制御基板６０のＭＰＵ６１は、入出力ポート６２に接続されている各種センサ類、スイッチ類からの検出信号等に基づき、ＲＯＭ６３内に格納されているプログラムを実行することによって種々の処理を行う制御手段を構成する。
【００５８】
例えば、クレジット精算ボタン３４を押下する操作にかかる検出信号が入出力ポート６２を介して入力されると、ＭＰＵ６１は、コイン払出プログラムに基づき解析して貯留モードから払い出しモードへの切り替えなのか、払い出しモードから貯留モードへの切り替えなのかを判断する。そして、コインの貯留モードから払い出しモードへの切り替わりであると判断すると、入出力ポート６２を介してホッパ１４の駆動モータを回転駆動する信号をサブ制御基板７０に出力し、サブ制御基板７０からホッパ１４の駆動モータに電力を供給してホッパ１４の駆動モータを回転駆動させる処理を行わせる。
【００５９】
ホッパ１４の支払装置１４ｂからコイン排出用通路７を介してコインの払い出しが開始されると、ＭＰＵ６１はクレジット枚数表示部２６に表示されている数値を１ずつ減じ、「０」になるまで払い出し処理を行う。なお、コイン排出用通路７には、少なくとも２個のコイン検出センサ（図示せず）が所定間隔をおいて設けられており、ＭＰＵ６１ではコイン検出センサからの検出信号に基づいてコインの通過、すなわちコインの払い出しを判断している。
【００６０】
ＭＰＵ６１は、コイン検出センサの検出信号に基づきコインの払い出し間隔を判断し、払い出し間隔が予め設定されている払い出し間隔を超えたと判断すると、入出力ポート６２を介してＬＥＤ５０ｂを点灯させる信号をサブ制御基板７０に出力し、サブ制御基板７０からＬＥＤ基板５０に電力を供給してＬＥＤ５０ｂを発光させる処理を行わせる。このとき、クレジット枚数表示部２６の表示は「０」となっている。すなわち、遊技者がクレジット精算ボタン３４により電子的に貯留されているコインを払い出し終わり、ＬＥＤ基板５０ｂが発光することになるので、コイン貯留部４１の内部にあるコインが視覚認識しやすくなり、例えば、遊技の終了時に貯留されているコインを回収するような場合、遊技者によるコインの取り忘れを防止することができる。
【００６１】
そして、ＬＥＤ５０ｂを所定時間に亘って点灯した後、入出力ポート６２を介してＬＥＤ５０ｂの点灯を止める信号をサブ制御基板７０に出力し、サブ制御基板７０からＬＥＤ基板５０への電力の供給を止めてＬＥＤ５０ｂの点灯を止める処理を行わせる。すなわち、コインの払い出しが終了し、遊技者がコイン貯留部４１の内部にあるコインを回収するための十分な時間が経過した場合には、ＬＥＤ５０ｂの点灯をさせる必要がないので、点灯を止める処理が行われるように制御されている。
【００６２】
なお、本発明は上記実施の形態に限定されるものではなく、発明の要旨の範囲内で種々の変更が可能である。例えば、上記実施の形態ではコイン貯留部右側壁４６のみにＬＥＤ基板５０を設けた例を示したが、コイン貯留部左側壁４７側に設置スペースを確保し、ＬＥＤ基板５０を設置することにより、コイン貯留部内部４１ｂをより明るい光で照明できるように構成しても良い。
【図面の簡単な説明】
【００６３】
【図１】本実施の形態におけるスロットマシンの前面扉が閉じた状態を示す斜視図である。
【図２】図１のスロットマシンの前面扉が開いた状態を示す斜視図である。
【図３】図１のスロットマシンの前面扉にコイン貯留部を設置する状態を示す説明図である。
【図４】コイン貯留部にＬＥＤ基板と光透過カバーを設置する状態を示す説明図である。
【図５】コイン貯留部にＬＥＤ基板と光透過カバーを設置する状態を示す斜視図である
【図６】コイン貯留部の後面視図である。
【図７】コイン貯留部をコイン取付板に設置する状態を示す説明図である。
【図８】スロットマシンの電気的構成を説明するブロック図である。
【図９】従来技術を説明する図である。
【符号の説明】
【００６４】
４１    コイン貯留部
４６    コイン貯留部右側壁
４７    コイン貯留部左側壁
４８    光透過カバー
４８ａ  底面部
４８ｂ  正面部
４８ｃ  右側面部
４８ｄ  左側面部
４８ｈ  コイン受け部
４９    コイン貯留部底板部
４９ａ  底板内壁
５１    コイン貯留部正面壁
５２    基板取付部
５２ａ  溝部
５３    基板上部支持部
５３ａ  溝部
【図１】
2007151741.tif 000003
【図２】
2007151741.tif 000004
【図３】
2007151741.tif 000005
【図４】
2007151741.tif 000006
【図５】
2007151741.tif 000007
【図６】
2007151741.tif 000008
【図７】
2007151741.tif 000009
【図８】
2007151741.tif 000010
【図９】
2007151741.tif 000011